(57)【要約】【課題】ソケットから取り外しても、基板とホルダが剥離しないようにすることができるカメラモジュール及びカメラモジュールユニットを提供する【解決手段】レンズ２を保持する筒状のホルダ１と、ホルダ１の下部に配置される平板状の基板３とを有し、内側面に係合爪２０を備えたソケット６に取付自在なカメラモジュール５であって、ホルダ１はソケット６の係合爪２０を掛止め可能な係止部１３を有し、基板３の周縁部は、係止部１３の位置及びその近傍以外の全周において、ホルダ１の下面よりも外方に突出してなる。【選択図】図２
2008262011.tif 000002
【特許請求の範囲】
【請求項１】
レンズを保持する筒状のホルダと、該ホルダの下部に配置される平板状の基板とを有し、内側面に係合爪を備えたソケットに取付自在なカメラモジュールにおいて、
前記ホルダは前記ソケットの係合爪を掛止め可能な係止部を有し、前記基板の周縁部は、前記係止部の位置及びその近傍以外の全周において、前記ホルダの下面よりも外方に突出することを特徴とするカメラモジュール。
【請求項２】
上方開放状の箱形形状からなり、内側面に係合爪を備えたソケットに対し、レンズを保持する筒状のホルダと、該ホルダの下部に配置される平板状の基板とを有したカメラモジュールを取付けてなるカメラモジュールユニットにおいて、
前記ホルダは前記ソケットの係合爪を掛止め可能な係止部を有し、前記基板の周縁部は、前記係止部の位置及びその近傍以外の全周において、前記ホルダの下面よりも外方に突出すると共に、該突出した部分は前記ソケットの底部内側面に沿うことを特徴とするカメラモジュールユニット。
【請求項３】
前記係合爪は前記ソケットの内側面から内側下方に向かって延びるように設けられ、前記ホルダは前記係合爪の下端部が当接する上面を有する段部を備えて、該段部の少なくとも一部が前記係止部として機能することを特徴とする請求項２記載のカメラモジュールユニット。
【発明の詳細な説明】
【技術分野】
【０００１】
本発明は、レンズを保持したホルダと基板とを有しソケットに取付けられるカメラモジュール及びソケットを含むカメラモジュールユニットに関し、特にソケットからの着脱を容易に行うことのできるカメラモジュール及びカメラモジュールユニットに関する。
【背景技術】
【０００２】
従来、携帯電話等の電子機器に搭載されるカメラモジュールとして、レンズを保持した筒状のホルダと、上面に撮像素子を備えた基板とが接着され構成されるものが知られており、またこのカメラモジュールを箱状のソケットに嵌合状に取付けてなるカメラモジュールユニットも知られている。カメラモジュールをソケットに取付けるものにおいては、カメラモジュールをソケットに取付けた後でも、これを交換あるいは修理することが可能である。このようなカメラモジュール及びソケットを含むカメラモジュールユニットとしては、例えば特許文献１に挙げるようなものがある。
【特許文献１】特開２００４−３０４６０４号公報
【発明の開示】
【発明が解決しようとする課題】
【０００３】
カメラモジュールを取付けるソケットには、内側面に係合爪が形成されており、これがカメラモジュールに係合することによって、カメラモジュールをソケットに固定することができる。ここで、カメラモジュールが所定の性能を満たしているか否かは、ソケットに取付けられた状態で試験される。したがって、所定の性能を満たしていなかった場合には、カメラモジュールをソケットから取り外して別のカメラモジュールを取付ける必要がある。
【０００４】
しかし、従来のカメラモジュール及びカメラモジュールユニットにおいては、カメラモジュールを取り外す際に、基板が係合爪に当たってしまうため、基板とホルダが剥離し、再調整しても使用不可能となる場合があった。
【０００５】
本発明は上記課題を鑑みてなされたものであり、ソケットから取り外しても、基板とホルダが剥離しないようにすることができるカメラモジュール及びカメラモジュールユニットを提供することを目的とする。
【課題を解決するための手段】
【０００６】
上記課題を解決するため、本発明に係るカメラモジュールは、レンズを保持する筒状のホルダと、該ホルダの下部に配置される平板状の基板とを有し、内側面に係合爪を備えたソケットに取付自在なカメラモジュールにおいて、
前記ホルダは前記ソケットの係合爪を掛止め可能な係止部を有し、前記基板の周縁部は、前記係止部の位置及びその近傍以外の全周において、前記ホルダの下面よりも外方に突出することを特徴として構成されている。
【０００７】
また、本発明に係るカメラモジュールユニットは、上方開放状の箱形形状からなり、内側面に係合爪を備えたソケットに対し、レンズを保持する筒状のホルダと、該ホルダの下部に配置される平板状の基板とを有したカメラモジュールを取付けてなるカメラモジュールユニットにおいて、
前記ホルダは前記ソケットの係合爪を掛止め可能な係止部を有し、前記基板の周縁部は、前記係止部の位置及びその近傍以外の全周において、前記ホルダの下面よりも外方に突出すると共に、該突出した部分は前記ソケットの底部内側面に沿うことを特徴として構成されている。
【０００８】
さらに、本発明に係るカメラモジュールユニットは、前記係合爪は前記ソケットの内側面から内側下方に向かって延びるように設けられ、前記ホルダは前記係合爪の下端部が当接する上面を有する段部を備えて、該段部の少なくとも一部が前記係止部として機能することを特徴として構成されている。
【発明の効果】
【０００９】
本発明に係るカメラモジュールによれば、ホルダはソケットの係合爪を掛止め可能な係止部を有し、基板の周縁部は、係止部の位置及びその近傍以外の全周において、ホルダの下面よりも外方に突出することにより、基板の周縁部は係止部の位置及びその近傍位置においては、ホルダの下面よりも突出しないので、カメラモジュールをソケットから取り外す際に、基板がソケットの係合爪と干渉することがなく、したがって基板とホルダの剥離を防止することができる。
【００１０】
また、本発明に係るカメラモジュールユニットによれば、ホルダはソケットの係合爪を掛止め可能な係止部を有し、基板の周縁部は、係止部の位置及びその近傍以外の全周において、ホルダの下面よりも外方に突出すると共に、突出した部分はソケットの底部内側面に沿うことにより、カメラモジュールをソケットに対してがたつきなく確実に取付可能としつつ、カメラモジュールをソケットから取り外す際には基板と係合爪の干渉を防止することができる。
【００１１】
さらに、本発明に係るカメラモジュールユニットによれば、係合爪はソケットの内側面から内側下方に向かって延びるように設けられ、ホルダは係合爪の下端部が当接する上面を有する段部を備えて、段部の少なくとも一部が係止部として機能することにより、カメラモジュールをソケットに対して簡易に取付けることができ、また係合爪を変形させることでカメラモジュールをソケットから容易に取り外すこともできる。
【発明を実施するための最良の形態】
【００１２】
本発明の実施形態について図面に沿って詳細に説明する。図１には本実施形態におけるカメラモジュールユニットの断面図を、図２にはカメラモジュールユニットの平面図を、それぞれ示している。これら各図に示すように、本実施形態におけるカメラモジュールユニットは、レンズ２を内部に保持した筒状のホルダ１と、撮像素子４を上面に備えた基板３とからなるカメラモジュール５と、上方開放の箱状に形成され、カメラモジュール５を内側に納めるソケット６とで構成されている。
【００１３】
ホルダ１は、レンズ２を内周面に保持する鏡筒部１０と、鏡筒部１０を保持し基板３に対して固定されるベース部１１とからなっている。なお、ベース部１１の内部には、フィルタ１５が配置されている。鏡筒部１０は略円柱状に形成され、またベース部１１の上部内周面は、鏡筒部１０を納めることができるように、平面視で円形状となるように形成されている。ベース部１１の下部は、略方形状に形成される基板３の周縁部に当接し接着できるように略四角柱状に形成されている。また、ベース部１１の外周面には、２つの側面に階段状の段部１２が形成されている。
【００１４】
ソケット６は、外形状を略四角柱状に形成され、また内周面は、カメラモジュール５を構成する基板５の周縁部が沿う寸法に形成されている。ソケット６の内側面における四隅近傍には、それぞれ金属板を折り曲げ加工してなる係合爪２０が設けられている。係合爪２０は、ソケット６の内側面から内側下方に向かって延びるように設けられており、カメラモジュール５をソケット６に挿入する際には、基板３及びベース部１１の段部１２よりも下方部分によって、ソケット６の内側面側に押圧変形され、カメラモジュール５が、基板３がソケット６の底面に当接するまで挿入されると、係合爪２０は元の形状に戻って、その先端部は、カメラモジュール５のベース部１１に形成された段部１２の上面１２ａに当接する。すなわち、段部１２のうちベース部１１の角部近傍の４箇所は、ソケット６の係合爪２０に対する係止部１３として機能し、これによって、カメラモジュール５がソケット６から抜けないようにすることができる。
【００１５】
図１に示すように、カメラモジュール５を構成する基板３の周縁部は、ホルダ１の下面よりも外方に突出し、ソケット６の底部内側面に沿うようにされている。これによって、カメラモジュール５をソケット６に対してがたつきなく確実に位置決め固定することができる。
【００１６】
一方で、図２に示すように、基板３の周縁部のうち、係合爪２０に係止される係止部１３の下方部に対応する四隅部分は切り欠かれており、切欠部１４を形成している。したがって、カメラモジュール５をソケット６に対して取付けた後で、カメラモジュール５を取り外す場合に、基板３が係合爪２０に干渉することがない。カメラモジュール５をソケット６から取り外す際には、治具等を用いて係合爪２０をソケット６の内側面側に変形させ、その状態でカメラモジュール５を垂直上方に引き上げる。なお、図２に示すように切欠部１４は、係合爪２０の係止部１３に係止された状態における内側端よりもさらに内側位置まで切り欠かれているので、カメラモジュール５を引き上げているときに、係合爪２０の変形状態が解除されても、基板３に干渉することはない。
【００１７】
このように、カメラモジュール５の基板３を、係止部１３に対応する位置及びその近傍位置については切り欠いて切欠部１４を形成し、それ以外の全周についてはホルダ１の下面よりも外方に突出させたことにより、カメラモジュール５をソケット６に対して確実に位置決め固定できるようにしつつ、カメラモジュール５をソケット６から取り外す際に、基板３が係合爪２０に干渉しないようにすることができるので、取り外しの際に基板３とホルダ１が剥離することを防止することができる。
【００１８】
以上、本発明の実施形態について説明したが、本発明の適用は本実施形態には限られず、その技術的思想の範囲内において様々に適用されうるものである。例えば、本実施形態では係合爪２０をソケット６の四隅近傍にそれぞれ設けているが、係合爪２０とそれに対応する基板３の切欠部１４の位置及び数は、これに限られず様々に配置することができる。また、係合爪２０の構成についても、上方から段部１２の上面１２ａに当接するものには限られず、ホルダ１の側面に圧接するようなものであってもよい。
【図面の簡単な説明】
【００１９】
【図１】本実施形態におけるカメラモジュールユニットの断面図である。
【図２】カメラモジュールユニットの平面図である。
【符号の説明】
【００２０】
１    ホルダ
２    レンズ
３    基板
４    撮像素子
５    カメラモジュール
６    ソケット
１０    鏡筒部
１１    ベース部
１２    段部
１３    係止部
１４    切欠部
２０    係合爪
【図１】
2008262011.tif 000003
【図２】
2008262011.tif 000004